(57)【要約】【課題】使用者を識別する複数のカードを認識し、そのうちから選択されたカードの情報に基づいて動作する移動通信端末機及びその複数カード認識方法を提供する。【解決手段】移動通信端末機は、使用者を識別するカードが差し込まれるソケットと、ソケットに差し込まれたカードの情報を保存するメモリと、メモリに複数のカードの情報が保存された時に、そのうちの選択されたカードの情報に基づいて移動通信端末機の動作を制御する制御部と、を含んで構成されたことを特徴とする。【選択図】図１
2007104688.tif 000002
【特許請求の範囲】
【請求項１】
使用者を識別するカードが差し込まれるソケットと、
前記ソケットに差し込まれたカードの情報を保存するメモリと、
前記メモリに複数のカードの情報が保存された時に、そのうちの選択されたカードの情報に基づいて移動通信端末機の動作を制御する制御部と、
を含んで構成されたことを特徴とする移動通信端末機。
【請求項２】
前記ソケットは、
前記移動通信端末機の電源がオン状態の場合に、カードが選択的に差し込まれることを特徴とする請求項１に記載の移動通信端末機。
【請求項３】
前記メモリは、
前記移動通信端末機の電源がオフになった場合に、前記保存された情報を失わないことを特徴とする請求項１に記載の移動通信端末機。
【請求項４】
前記カードの情報は、
ＩＭＳＩ、ネットワーク情報、国情報、及び電話帳情報のうち少なくとも１つを含んで構成されることを特徴とする請求項１に記載の移動通信端末機。
【請求項５】
前記カードには、
ＳＩＭカード又はＵＩＭカードが含まれることを特徴とする請求項１に記載の移動通信端末機。
【請求項６】
前記制御部は、
前記ソケットから取り外されている所定カードの情報がアップデートされると、該アップデートされた所定カードのアップデート情報を前記メモリに保存し、前記所定カードが前記ソケットに差し込まれた時に、前記所定カード内の情報を前記アップデート情報に更新することを特徴とする請求項１に記載の移動通信端末機。
【請求項７】
前記アップデート情報は、
電話帳情報、通話記録（Call log）、通話料（Call charge）を含んで構成されることを特徴とする請求項６に記載の移動通信端末機。
【請求項８】
前記制御部は、
カードが差し込まれると、前記メモリに保存された複数のカードの情報を選択させる選択メニューを画面に表示することを特徴とする請求項１に記載の移動通信端末機。
【請求項９】
前記制御部は、
特定キーが押下された後に、カードが差し込まれると、該差し込まれたカードの情報を前記メモリに一時的に保存するか、又は保存しないことを特徴とする請求項１に記載の移動通信端末機。
【請求項１０】
前記制御部は、
前記カードの情報が前記メモリに一時的に保存された場合に、所定時間が経過するか、又は前記差し込まれたカードが取り外されると、前記一時的に保存されたカードの情報を削除することを特徴とする請求項９に記載の移動通信端末機。
【請求項１１】
前記所定時間は、
任意に調節可能であることを特徴とする請求項１０に記載の移動通信端末機。
【請求項１２】
使用者を識別するカードがソケットに差し込まれる段階と、
前記ソケットに差し込まれたカードの情報をメモリに保存する段階と、
前記メモリに複数のカードの情報が保存された時に、そのうちの選択されたカードの情報に基づいて移動通信端末機の動作を制御する段階と、
を含んで構成されたことを特徴とする移動通信端末機の複数カード認識方法。
【請求項１３】
前記カードの情報は、
ＩＭＳＩ、ネットワーク情報、国情報、及び電話帳情報のうち少なくとも１つを含んで構成されることを特徴とする請求項１２に記載の移動通信端末機の複数カード認識方法。
【請求項１４】
前記カードには、
ＳＩＭカード又はＵＩＭカードが含まれることを特徴とする請求項１２に記載の移動通信端末機の複数カード認識方法。
【請求項１５】
前記制御する段階は、
前記ソケットから取り外されている所定カードの情報がアップデートされると、該アップデートされた所定カードのアップデート情報を前記メモリに保存し、前記所定カードが前記ソケットに差し込まれた時に、前記所定カード内の情報を前記アップデート情報に更新する段階をさらに含んで構成されたことを特徴とする請求項１２に記載の移動通信端末機の複数カード認識方法。
【請求項１６】
前記アップデート情報は、
電話帳情報、通話記録（Call log）、通話料（Call charge）を含んで構成されることを特徴とする請求項１５に記載の移動通信端末機の複数カード認識方法。
【請求項１７】
前記制御する段階は、
前記カードが差し込まれると、前記メモリに保存された複数のカードの情報を選択させる選択メニューを画面に表示する段階をさらに含んで構成されたことを特徴とする請求項１２に記載の移動通信端末機の複数カード認識方法。
【請求項１８】
前記制御する段階は、
特定キーが押下された後に、カードが差し込まれると、該差し込まれたカードの情報を前記メモリに一時的に保存し、所定時間が経過するか、又は前記カードが取り外されると、前記一時的に保存されたカードの情報を削除する段階をさらに含んで構成されたことを特徴とする請求項１２に記載の移動通信端末機の複数カード認識方法。
【請求項１９】
前記所定時間は、
移動通信端末機の製造時に設定されるか、又は使用者により設定されることを特徴とする請求項１８に記載の移動通信端末機の複数カード認識方法。
【請求項２０】
ソケットに差し込まれたカードの情報をメモリに保存する段階と、
前記カードが取り外されて特定キーが押下された後に、前記ソケットに他のカードが差し込まれると、該他のカードを認識して、他のカードの情報を前記メモリに一時的に保存する段階と、
前記保存された複数のカードの情報を選択させる選択メニューを画面に表示する段階と、
前記選択されたカードの情報に基づいて呼接続する段階と、
前記呼接続中に発生したアップデート情報を前記メモリに保存する段階と、
前記一時的に保存したカードの情報に基づいて呼接続が行われ、その呼接続が完了するか、又は予め設定された所定時間が経過すると、前記一時的に保存したカードの情報を自動的に削除する段階と、
を含んで構成されたことを特徴とする移動通信端末機の複数カード認識方法。
【発明の詳細な説明】
【技術分野】
【０００１】
本発明は、使用者情報やネットワーク情報を含んで構成された使用者を識別するカードが差し込まれる移動通信端末機に関し、特に、複数のカードを認識し、そのうちの選択されたカードの情報に基づいて動作する移動通信端末機及びその複数カード認識方法に関する。
【背景技術】
【０００２】
移動通信端末機（以下、端末機とも称する）使用者からの多様なサービス要求によって、１つの端末機で複数の電話番号を使用し得る付加サービスが提供されている。
【発明の開示】
【発明が解決しようとする課題】
【０００３】
使用者情報やネットワーク情報などを含んで構成されたカードが差し込まれると通話（呼接続）が可能になる端末機が、複数の電話番号を認識するためには、使用を希望する電話番号の数だけカードソケットを備えなければならないという問題点があった。
【０００４】
また、例えば、二つの事業者（キャリア）からサービスが提供される場合を仮定すると、各事業者から提供されるカードが差し込まれるカードソケットをその事業者毎に備えなければならず、その分、端末機のサイズが大きくなり外観が悪くなるという問題点があった。
【０００５】
さらに、カードを交換すると、交換前のカードの情報に基づいて通話をすることができず、一々交換をしなければならなかった。
【０００６】
そこで、本発明は、移動通信端末機のサイズを大きくすることなく一つのカードソケットだけを用いて、複数のカードを認識し、認識したカードであれば、カード交換をすることなく各々の情報に基づいて動作することができる移動通信端末機及びその複数のカードを認識する複数カード認識方法を提供することを目的とする。
【課題を解決するための手段】
【０００７】
このような目的を達成する本発明の移動通信端末機は、使用者を識別するカードが差し込まれるソケットと、前記ソケットに差し込まれたカードの情報を保存するメモリと、前記メモリに複数のカードの情報が保存された時に、そのうちの選択されたカードの情報に基づいて移動通信端末機の動作を制御する制御部と、を含んで構成されたことを特徴とする。
【０００８】
ここで、前記ソケットは、前記移動通信端末機の電源がオン状態の場合に、カードが選択的に差し込まれるとよい。前記メモリは、前記移動通信端末機の電源がオフになった場合に、前記保存された情報を失わないことを特徴とする。
【０００９】
前記カードの情報は、ＩＭＳＩ、ネットワーク情報、国情報、及び電話帳情報のうち少なくとも１つを含んで構成されるとよく、前記カードには、ＳＩＭカード又はＵＩＭカードが含まれるとよい。
【００１０】
前記制御部は、前記ソケットから取り外されている所定カードの情報がアップデートされると、該アップデートされた所定カードのアップデート情報を前記メモリに保存し、前記所定カードが前記ソケットに差し込まれた時に、前記所定カード内の情報を前記アップデート情報に更新することを特徴とする。ここで、前記アップデート情報は、電話帳情報、通話記録（Call log）、通話料（Call charge）を含んで構成されるとよい。また、前記制御部は、カードが差し込まれると、前記メモリに保存された複数のカードの情報を選択させる選択メニューを画面に表示するとよい。さらに、前記制御部は、特定キーが押下された後に、カードが差し込まれると、該差し込まれたカードの情報を前記メモリに一時的に保存するか、又は保存しないことを特徴とする。さらにまた、前記制御部は、前記カードの情報が前記メモリに一時的に保存された場合に、所定時間が経過するか、又は前記差し込まれたカードが取り外されると、前記一時的に保存されたカードの情報を削除することを特徴とする。この場合、前記所定時間は、任意に調節可能であるとよい。
【００１１】
また、本発明では、移動通信端末機の複数カード認識方法を提供する。即ち、この方法は、使用者を識別するカードがソケットに差し込まれる段階と、前記ソケットに差し込まれたカードの情報をメモリに保存する段階と、前記メモリに複数のカードの情報が保存された時に、そのうちの選択されたカードの情報に基づいて移動通信端末機の動作を制御する段階と、を含んで構成されたことを特徴とする。
【００１２】
前記カードの情報は、ＩＭＳＩ、ネットワーク情報、国情報、及び電話帳情報のうち少なくとも１つを含んで構成されるとよく、前記カードには、ＳＩＭカード又はＵＩＭカードが含まれるとよい。
【００１３】
前記制御する段階は、前記ソケットから取り外されている所定カードの情報がアップデートされると、該アップデートされた所定カードのアップデート情報を前記メモリに保存し、前記所定カードが前記ソケットに差し込まれた時に、前記所定カード内の情報を前記アップデート情報に更新する段階をさらに含んで構成されるとよい。ここで、前記アップデート情報は、電話帳情報、通話記録（Call log）、通話料（Call charge）を含んで構成されることを特徴とする。また、前記制御する段階は、前記カードが差し込まれると、前記メモリに保存された複数のカードの情報を選択させる選択メニューを画面に表示する段階をさらに含んで構成されたことを特徴とする。さらに、前記制御する段階は、特定キーが押下された後に、カードが差し込まれると、該差し込まれたカードの情報を前記メモリに一時的に保存し、所定時間が経過するか、又は前記カードが取り外されると、前記一時的に保存されたカードの情報を削除する段階をさらに含んで構成されたことを特徴とする。前記所定時間は、移動通信端末機の製造時に設定されるか、又は使用者により設定されるとよい。
【００１４】
さらに、本発明では、移動通信端末機の複数カード認識方法を提供する。即ち、この方法は、ソケットに差し込まれたカードの情報をメモリに保存する段階と、前記カードが取り外されて特定キーが押下された後に、前記ソケットに他のカードが差し込まれると、該他のカードを認識して、他のカードの情報を前記メモリに一時的に保存する段階と、前記保存された複数のカードの情報を選択させる選択メニューを画面に表示する段階と、前記選択されたカードの情報に基づいて呼接続する段階と、前記呼接続中に発生したアップデート情報を前記メモリに保存する段階と、前記一時的に保存したカードの情報に基づいて呼接続が行われ、その呼接続が完了するか、又は予め設定された所定時間が経過すると、前記一時的に保存したカードの情報を自動的に削除する段階と、を含んで構成されたことを特徴とする。
【発明の効果】
【００１５】
本発明による複数のカードを認識する移動通信端末機及びその複数カード認識方法は、カード交換の前後に、それぞれのカードの情報をＲＡＭ及びフラッシュメモリの少なくとも一方に保存するので、一つのソケットのみで複数のカードを認識し、その認識した各々のカードの情報を選択的に使用することができるようになる。
【００１６】
また、本発明による複数のカードを認識する移動通信端末機及びその複数カード認識方法は、端末機の動作中に、ソケットに差し込まれていないカードのアップデート情報が発生すると、該カードのアップデート情報をフラッシュメモリに保存し、その後、そのアップデート情報に該当するカードがソケットに差し込まれた場合に、カードの情報がアップデート情報に更新されて保存されるため、使用者は、迅速にサービスの提供を受けることができるという効果がある。
【発明を実施するための最良の形態】
【００１７】
以下、添付図面を参照して本発明の好ましい一実施形態を説明する。
本発明の一実施形態に従う移動通信端末機は、一つのカードソケットに複数のカードが差し込まれると、それらカード毎の情報をメモリに保存する。これにより、端末機の使用者は、現在差し込んでいるカードの情報及び一度差し込んで保存させその後取り外した複数のカードの情報をそれぞれ選択的に使用することができる。
【００１８】
図１は、本発明の一実施形態に従う複数のカードを認識する移動通信端末機のブロック図である。
図１に示すように、移動通信端末機は、本体の所定部位に設けられたソケット１２０と、ソケット１２０に差し込まれるカード１１０と、ソケット１２０に差し込まれたカード１１０の情報を保存するメモリ１４０と、ソケット１２０に装着されたカード１１０が新たなカードに交換されると、この新たなカードの情報を保存し、この新たなカードの情報及び既に保存されている複数のカードの情報から一つを使用者に選択させ、選択されたカードの情報に基づいて通話（呼接続）が行われるように移動通信端末機の動作を制御する制御部１３０と、を含んで構成されている。
【００１９】
ソケット１２０は、その差し込み口が端末機の外側（例：側面、下面、上面等）に設けられており、複数のあらゆるカードを認識することができる。ここで、ソケットに差し込み可能なカードには、ＳＩＭカード、ＵＩＭカードのほか、情報を保存可能なＩＣカードなども含まれる。また、これらカードは、ホットスワップ可能なように設計されている。即ち、使用者が種々のカードを頻繁に交換できるように、端末機の電源がオン状態でもカード交換可能なように設計されている。
【００２０】
制御部１３０は、ソケット１２０の第１カード（即ち、ソケットに差し込まれたカード）を認識した後、使用者が第２カード（即ち、ソケットに差し込まれていないカード）に交換する場合、交換の前後に、第１カードの情報をＲＡＭ及びフラッシュメモリの少なくとも一方に保存する。また、制御部１３０は、保存した第１カードの情報（及びこれまで保存した複数のカードの情報）と現在差し込まれている第２カードの情報のいずれを使用して呼接続するか（移動通信端末機を動作させるか）を使用者に選択させる選択メニューをディスプレイ（画面）に提供する。さらに、使用者が、一度の使用のみで保存する必要がないと判断したカードを使用する場合、その差し込む前に特定キー（例えば、側面キー、方向キー、キーボードキーなど）を押下してそのカードを差し込むと、制御部１３０は、差し込まれたカードから読み取った情報を保存せず、又は一時的に保存した場合には所定時間経過後に自動的に削除する。これは、街頭で他人に頼まれて端末機を貸す場合など、一度だけしか使用しないカードを使用する場合に有益である。
【００２１】
このような差し込まれたカードの情報を保存する保存機能又は保存しない保存無効機能を実行するモジュールは、制御部１３０が備えている。そして、使用者が特定キーを押下して保存無効機能を選択した後にカードを差し込むと、制御部１３０は、差し込まれたカードの情報を端末機に保存しないか、又は一時的に保存して所定時間経過後に自動的に削除する。この所定時間は、使用者が任意に設定することができる。
【００２２】
また、制御部１３０は、カードのアップデート情報があると、該アップデート情報に該当するカードがソケット１２０に差し込まれているカードであるか否かを判定する。そして、アップデート情報に該当するカードがソケットに差し込まれていると判定すると、制御部１３０は、そのカード内の情報をアップデート情報に更新して保存するか、又はそのカード内の情報をアップデート情報に更新して保存すると同時にメモリ１４０にも保存する。一方、アップデート情報に該当するカードがソケットから取り外されているカードであると判定すると、制御部１３０は、そのアップデート情報をフラッシュメモリに保存する。この場合、フラッシュメモリに保存されたアップデート情報は、取り外されているカードがソケットに差し込まれた時に、そのカード内の情報をアップデート情報に更新して保存するために、ロードされる。ここで、アップデート情報は、別途のメモリに保存することができ、このアップデート情報を複数のカードの情報と共にメモリに保存することもできる。
【００２３】
メモリ１４０は、ＲＡＭ及びフラッシュメモリの少なくとも一方を含んで構成され、カードの情報及びアップデート情報の少なくとも一方を一時的又は永久的に保存する。ここで、カードの情報には、ネットワーク情報、国情報、ＩＭＳＩ（international mobile subscriber identity）値、電話帳情報などが含まれており、アップデート情報には、電話帳情報、通話記録（Call log）、通話料（Call charge）などが含まれている。
【００２４】
アップデート情報は、メモリに保存された複数のカードの情報毎に発生する。即ち、アップデート情報がソケットに差し込まれているカードについて発生すると、該差し込まれているカードの使用中にアップデート情報を更新して保存するか、又は差し込まれているカードの使用中に更新して保存すると同時にメモリにも保存する。その理由は、他のカードにいつでも交換できるようにし、カードの情報の更新（アップデート）漏れを防止するためである。
【００２５】
同一又は異なるサービス事業者から提供された１以上のカード１１０は、単一のソケット１２０に差し込まれる。
【００２６】
図２は、本発明の一実施形態に従う移動通信端末機が複数のカードを認識する方法を示したフローチャートである。
図２に示すように、端末機の使用者が電話をかけるために第１カードをソケットに差し込むと、制御部１３０は、ソケットに差し込まれた第１カードの情報を保存する（Ｓ２１０、Ｓ２１２）。
【００２７】
その後、第１カードがソケットから取り外され、特定キーが押下されることなく第２カードがソケットに差し込まれると、制御部１３０は、差し込まれたカードが第２カードであると認識して、第２カードの情報を保存する（Ｓ２１４、Ｓ２１６、Ｓ２１８）。このように第１及び第２カードの情報が保存された状態において、使用者が通信（呼接続）をしようとする場合、制御部１３０は、第１又は第２カードのいずれの情報を使用して呼接続するかを使用者に選択させ、選択されたカードの情報に基づいて呼接続を行う（Ｓ２２０）。
【００２８】
一方、段階Ｓ２１４で特定キーが押下された場合、即ち、使用者が、交換する第２カードの情報を保存する必要がないと判断した場合（例えば、第三者が端末機を一時的に借りて使う場合等）、第２カードが差し込まれると、制御部１３０は、差し込まれたカードが第２カードであると認識し、呼接続する場合に、差し込まれた第２カードの情報を一時的にメモリに保存して読み込むか又は第２カードから情報を読み込む（Ｓ２２４）。次いで、制御部１３０は、使用者によって第１又は第２カードのいずれか一方の情報が選択されると、選択されたカードの情報に基づいて呼接続を行う（Ｓ２２６）。そして、通信（呼接続）が終了すると、制御部１３０は、段階Ｓ２２４で一時的に保存した第２カードの情報を自動的に削除する（Ｓ２２８）。
【００２９】
制御部１３０は、差し込まれたカードが第１又は第２カード（若しくは他のカード）のいずれであるかを認識するために、カードが差し込まれると、カード認識メニューを画面に表示し、使用者の選択によっていずれのカードであるかを認識するか、又は、メニューを表示せずに、カード交換があると自動的にいずれのカードであるかを認識する。
【００３０】
自動的にカードを認識する場合には、カードの交換前からリアルタイムにカードの情報及びアップデート情報を保存するようにする。
【００３１】
カードの情報は、差し込まれたカード毎に保存される。また、差し込まれて現在使用中のカードの情報も保存される。このように、差し込まれて現在使用中のカードの情報を保存するようにすると、他のカードへの交換の際、その交換前のカードの情報の保存作業をすることなく迅速な交換が可能になる。
【００３２】
図３は、本発明の一実施形態に従う複数のカードを認識する移動通信端末機がカード内の情報をアップデート情報に更新して保存する方法を示したフローチャートである。
図３に示すように、制御部１３０は、ソケットに差し込まれた第１カードの情報をメモリ１４０に保存する（Ｓ３１０）。ソケットから第１カードが取り外され、第２カードに交換されると（Ｓ３２０）、制御部１３０は、差し込まれたカードが第２カードであると認識して、第２カードの情報をメモリ１４０に保存する（Ｓ３３０）。次いで、制御部１３０は、保存した第１カードの情報と第２カードの情報とを選択させる選択メニューを画面に表示する（Ｓ３４０）。そして、選択されたカードの使用中に、アップデート情報が発生すると（Ｓ３５０）、そのアップデート情報がソケットに差し込まれた現在使用中のカードの情報であるか否かを判定する（Ｓ３６０）。
【００３３】
判定の結果、差し込まれているカードのアップデート情報ではないと判定すると、アップデート情報をメモリ１４０に保存する（Ｓ３８０）。そして、アップデート情報の該当第１カードが差し込まれると、第１カード内の情報をアップデート情報に更新して保存するために、メモリ１４０から保存されたアップデート情報をロードする（Ｓ３９０）。
【００３４】
一方、判定の結果、アップデート情報の該当カードが差し込まれて現在使用中の第２カードであると判定すると、第２カード内の情報をアップデート情報に更新して保存するか、又は第２カード内の情報をアップデート情報に更新して保存すると共にメモリ１４０にも保存する（Ｓ３７０）。
【００３５】
アップデート情報は、差し込まれた複数のカードの情報を保存するメモリと同一のメモリに保存されるか、又は別途のメモリに保存される。別途のメモリにアップデート情報を保存した場合、該保存したアップデート情報に該当するカードがソケットに差し込まれると、そのカード内の情報をアップデート情報に更新して保存するために、アップデート情報が別途のメモリからロードされる。
【００３６】
以下、本発明の一実施形態を図３及び図４に基づいて説明する。
説明の便宜のために、端末機の使用者が使用するカードをＳＩＭカードと仮定し、第１ＳＩＭカードをビジネス用に使用し、第２ＳＩＭカードをプライベート用に使用すると仮定する。
【００３７】
移動通信端末機の使用者がビジネス用の通話をするために、第１ＳＩＭカードをソケット１１０に差し込むと、制御部１３０は、端末機の画面に「カード認識完了」のメッセージを画面に表示する。また、制御部１３０は、他のカードに交換するか否かを確認する「他のカードに交換しますか？」の交換メッセージを端末機の画面に表示する。使用者は、他のカードである第２ＳＩＭカードに交換するか否かを選択する。
【００３８】
使用者が、交換メッセージに対して「いいえ」を選択した場合、制御部１３０は、第１ＳＩＭカードの情報に基づいて動作する。一方、使用者が、ビジネス用からプライベート用に切り換えて通話をするために電話番号を変更する場合、交換メッセージに対して「はい」を選択する。すると、制御部１３０は、第１ＳＩＭカードの情報をＲＡＭとフラッシュメモリとに保存する（Ｓ３１０）。ここで、ＲＡＭは、制御部１３０が認識しないカードの情報を一時的に保存する領域であり、高速なデータアクセスを可能にする。フラッシュメモリは、ＲＡＭへの電源の供給が中断されると保存している情報が全て失われるので、そのバックアップとしてカードの情報を保存する。
【００３９】
第１ＳＩＭカードの情報の保存作業が完了すると、制御部１３０は、「保存完了」のメッセージを画面に表示する。そして、使用者は、第２ＳＩＭカードに交換するために、第１ＳＩＭカードを取り外し、第２ＳＩＭカードをソケット１２０に差し込む（Ｓ３２０）。
【００４０】
次いで、制御部１３０は、差し込まれたカードが第２ＳＩＭカードであると認識し、使用者の操作に基づいて第２ＳＩＭカードの情報を使用した呼接続をする。差し込まれた第２ＳＩＭカードは、メモリ１４０に保存される。次に、使用者は、「カード選択ボタン」を使用して、ＲＡＭ及びフラッシュメモリの少なくとも一方に保存されている第１ＳＩＭカードの情報を呼び出して選択すると、現在使用しているプライベート用の第２ＳＩＭカードの情報からビジネス用の第１ＳＩＭカードの情報に変更することができ、状況に応じて電話番号を変えて通話することができるようになる（Ｓ３４０）。
【００４１】
複数のカードの情報を選択的に利用し得る状態において、アップデート情報（電話帳情報、通話記録（Call log）、通話料（Call charge））が発生すると、該アップデート情報は、ソケットに差し込まれて現在使用中のカードにリアルタイムに保存されるか、又はメモリに保存される。アップデート情報が、ソケットから取り外されたカードの情報である場合には、フラッシュメモリに保存される。これは、アップデート情報を保存しないと、取り外したカードをその後に差し込んで呼接続する場合に不便だからである。
【００４２】
プライベート用の第２ＳＩＭカードがソケットから取り外された状態で、使用者が第２ＳＩＭカードの情報を利用して通話し、アップデート情報が発生すると、制御部１３０は、アップデート情報の存在を認識して（Ｓ３５０）、端末機の画面に「アップデート情報」のメッセージ」を表示する。制御部１３０は、ソケットに差し込まれたカードが、アップデート情報に該当するカードであるか否かを判定する（Ｓ３６０）。
【００４３】
制御部１３０は、アップデート情報に該当するカードが第２ＳＩＭカードであると判定すると、該第２ＳＩＭカードの情報を使用しているため、バックグラウンドでアップデート情報をフラッシュメモリ及びＲＡＭの少なくとも一方に保存する（Ｓ３８０）。そして、第２ＳＩＭカードがソケットに差し込まれた際に、第２ＳＩＭカード内の情報をアップデート情報（電話帳情報、通話記録（Call log）、通話料（Call charge））に更新して保存するために、フラッシュメモリ又はＲＡＭからそのアップデート情報をロードする（Ｓ３９０）。
【００４４】
一方、アップデート情報に該当するカードが現在差し込まれている第１ＳＩＭカードであると判定すると、制御部１３０は、第１ＳＩＭカード内の情報をアップデート情報に更新して保存するか、又は第１ＳＩＭカード内の情報をアップデート情報に更新して保存すると同時にメモリにも保存する（Ｓ３７０）。
【００４５】
アップデート情報の保存（更新）が完了すると、制御部１３０は、「保存完了」のメッセージを画面に表示する。
【００４６】
以上、添付図面を参照して本発明の一実施形態を説明したが、これらは例示にすぎず、本発明が属する技術分野における通常の知識を有する者であれば、多様な変形及び様々な実施形態が可能であることを理解するであろう。従って、本発明の技術的な保護範囲は特許請求の範囲の技術的思想により定められるべきである。
【図面の簡単な説明】
【００４７】
【図１】本発明の一実施形態に従う複数のカードを認識する移動通信端末機のブロック図である。
【図２】本発明の一実施形態に従う移動通信端末機が複数のカードを認識する方法を示すフローチャートである。
【図３】本発明の一実施形態に従う複数のカードを認識する移動通信端末機がアップデート情報を保存（又は更新）する方法を示すフローチャートである。
【図４】本発明の一実施形態に従う移動通信端末機が複数のカードを認識する方法を示す図である。
【符号の説明】
【００４８】
１１０：カード
１２０：ソケット
１３０：制御部
１４０：メモリ
【図１】
2007104688.tif 000003
【図２】
2007104688.tif 000004
【図３】
2007104688.tif 000005
【図４】
2007104688.tif 000006